(57)【要約】【課題】一つの短文メッセージの作成により、複数の受信者に適宜な短文メッセージを提供することにある。【解決手段】携帯端末機の短文メッセージの伝送方法は、住所録に、受信者別に修正前後の文字列をそれぞれ設定する第１段階と、前記受信者に送る修正前の文字列を含む一つの短文メッセージを入力する第２段階と、前記短文メッセージ中の修正前の文字列を、前記修正後の文字列に置き換え、前記受信者別に送る修正された短文メッセージを生成する第３段階と、前記修正された短文メッセージを伝送する第４段階とを含む。【選択図】図４
2008048389.tif 000002
【特許請求の範囲】
【請求項１】
携帯端末機の短文メッセージの伝送方法であり、
住所録に、受信者別に修正前後の文字列をそれぞれ設定する第１段階と、
前記受信者に送る修正前の文字列を含む一つの短文メッセージを入力する第２段階と、
前記短文メッセージ中の修正前の文字列を、前記修正後の文字列に置き換え、前記受信者別に送る修正された短文メッセージを生成する第３段階と、
前記修正された短文メッセージを前記受信者別に伝送する第４段階と、
を含むことを特徴とする携帯端末機の短文メッセージの伝送方法。
【請求項２】
前記第１段階において、前記修正前後の文字列が、前記各受信者の属性に応じて設定されることを特徴とする請求項１に記載の携帯端末機の短文メッセージの伝送方法。
【請求項３】
前記第１段階は、
住所録から、受信者の属性を示す受信者アドレス情報を選択する段階と、
前記選択された受信者アドレス情報に含まれている前記受信者の属性に基づき、修正前後の文字列を設定する段階と、
前記設定された修正前後の文字列を、前記選択された受信者アドレス情報に追加する段階と、を含むことを特徴とする請求項２に記載の携帯端末機の短文メッセージの伝送方法
【請求項４】
前記受信者属性は、受信者の年齢、職業、グループ、親族関係の少なくとも一つを含むことを特徴とする請求項２に記載の携帯端末機の短文メッセージの伝送方法。
【請求項５】
前記修正前の文字列は、前記短文メッセージ中に含まれている呼称と述語の語尾とを含むことを特徴とする請求項２に記載の携帯端末機の短文メッセージの伝送方法。
【請求項６】
前記修正後の文字列は、前記受信者に対応する呼称と述語の語尾とを含むことを特徴とする請求項４に記載の携帯端末機のメッセージの伝送方法。
【請求項７】
前記修正前後の文字列は、修正文字列データから選択され設定されるものであることを特徴とする請求項６に記載の携帯端末機の短文メッセージの伝送方法。
【請求項８】
前記修正前後の文字列は、発信者により直接入力されるものであることを特徴とする請求項６に記載の携帯端末機の短文メッセージの伝送方法。
【請求項９】
前記第３段階は、
前記短文メッセージから前記修正前の文字列を検出する段階と、
前記検出された修正前の文字列を、前記修正後の文字列に置き換え、前記各受信者に修正された短文メッセージを生成する段階と、を含むことを特徴とする請求項１に記載の携帯端末機の短文メッセージの伝送方法。
【請求項１０】
前記第１段階は、
住所録メニューを選択する段階と、
前記住所録メニューから受信者属性が含まれている受信者アドレス情報を選択する段階と、
前記受信者アドレス情報から設定すべき修正前の文字列の項目を選択し、修正文字列データを表示する段階と、
前記修正文字列データから修正前後の文字列を選択する段階と、
前記選択された修正前後の文字列を、前記受信者アドレス情報に追加する段階と、
を含むことを特徴とする請求項１に記載の携帯端末機の短文メッセージの伝送方法。
【請求項１１】
短文メッセージの伝送メニューを選択する段階と、
前記受信者に送る短文メッセージを入力する段階と、
前記短文メッセージの伝送キーを入力する段階と、
前記受信者が複数であるかを判定する段階と、
前記受信者が複数である場合、前記短文メッセージ中に前記受信者の属性に応じて修正する文字列があるかを判定する段階と、
前記判定の結果、修正する文字列がある場合、各受信者用に前記短文メッセージを修正する段階と、
前記修正された短文メッセージを、前記受信者の携帯端末機に伝送する段階と、
を含むことを特徴とする携帯端末機の短文メッセージの伝送方法。
【請求項１２】
前記受信者が一人である場合、前記短文メッセージを、前記受信者の携帯端末機に伝送する段階をさらに含むことを特徴とする請求項１１に記載の携帯端末機の短文メッセージの伝送方法。
【請求項１３】
前記判定の結果、修正する文字列のない場合、前記短文メッセージを、前記受信者の携帯端末機に伝送する段階をさらに含むことを特徴とする請求項１１に記載の携帯端末機の短文メッセージの伝送方法。
【請求項１４】
受信者の携帯端末機に送る一つの短文メッセージを入力する第１段階と、
前記短文メッセージから、それぞれの受信者の属性に応じて修正されるべき呼称と述語の語尾とを検出する第２段階と、
前記検出された呼称と述語の語尾とを、前記受信者の属性に従った新たな呼称と述語の語尾に置き換えることで、各受信者用の前記短文メッセージを修正する第３段階と、
前記修正された短文メッセージを、対応する前記受信者に伝送する第４段階と、
を含むことを特徴とする携帯端末機の短文メッセージの伝送方法。
【請求項１５】
前記受信者属性は、受信者の年齢、職業、グループ、親族関係の少なくとも一つを含むことを特徴とする請求項１４に記載の携帯端末機の短文メッセージの伝送方法。
【請求項１６】
受信者の属性に応じて設定された修正前後の文字列を有する住所録を格納するメモリ部と、
前記受信者に送る修正前の文字列を含む短文メッセージを入力するキー入力部と、
前記短文メッセージから、前記修正前の文字列を検出する修正文字列検出部と、
前記修正前の文字列を、前記修正後の文字列に置き換え、前記短文メッセージを修正する文字列修正部と、
前記文字列修正部から前記修正された文字メッセージの伝送を受けて、前記受信者の携帯端末機に伝送する無線通信部と、
を含むことを特徴とする携帯端末機。
【請求項１７】
前記キー入力部のキー入力により、修正前後の文字列を設定して、前記格納部の住所録に追加する修正文字列設定部をさらに含むことを特徴とする請求項１６に記載の携帯端末機。
【請求項１８】
前記住所録は、受信者の名前、電話番号、属性、及び修正後の文字列を含む受信者アドレス情報を示す登録を少なくとも一つ以上含むことを特徴とする請求項１７に記載の携帯端末機。
【請求項１９】
前記受信者属性は、受信者の年齢、職業、グループ、親族関係の少なくとも一つを含むことを特徴とする請求項１８に記載の携帯端末機。
【発明の詳細な説明】
【技術分野】
【０００１】
本発明は、携帯端末機及びそのメッセージ処理方法に関し、より詳細には、受信者の属性に合わせて短文メッセージを修正して伝送する携帯端末機及びその短文メッセージの伝送方法に関する。
【背景技術】
【０００２】
移動通信技術の発展に伴い、携帯端末機を用いて、時間や場所にとらわれるず、音声通話が可能となった。多様な機能が携帯端末機に盛り込まれ、文字情報、画像情報、ＭＰ３，ゲーム等をユーザーに提供でき、かつユーザーは、携帯端末機の画面からこれらを確認できるようになった。
【０００３】
一方、携帯端末機の使用時間が長くなるつれ、携帯端末機は音声通話の外に、相手の携帯端末機の動作状態に関係なく、いつでもメッセージを伝送可能な短文メッセージサービス(Short Message Service: SMS)の使用が、益々増える傾向にある。これにより、携帯端末機のユーザーは、受信側の携帯端末機の通信状態に関係なく低コストで自分のメッセージを相手に簡単に送信できる短文メッセージサービスが広く用いられている。
【０００４】
特に、短文メッセージを一人だけではなく、複数の人に同時に伝送するグループ伝送も可能である（韓国公開公報第２００１−１１３２７号を参照）。ここで、発信者とは、短文メッセージを送る携帯端末機のユーザーを称し、受信者とは短文メッセージを受信する携帯端末機のユーザーを称する。
【０００５】
このようなグループ伝送は、受信者の属性が同様である場合、短文メッセージの内容がそれほど問題とならないため、有効に利用できる反面、受信者の属性が異なる場合、受信者によっては、受信した短文メッセージの内容を不愉快に思うこともあり得る。しかも発信者が、それぞれの受信者に合った適宜な短文メッセージの作成も容易ではない。発信者の立場から、受信者に失礼にならない短文メッセージを送る場合、短文メッセージの文章がかたくなり、ある受信者には拒否感を与えることもあり得る。
【０００６】
ここで、受信者の属性は、年齢、職業、グループ、又は、親族関係のような受信者の要素によって決定される。例えば、受信者のうち、発信者より年上の人に、普通体または通信体（通信用の文章）の短文メッセージを伝送した場合、その短文メッセージが受信者を不愉快にさせることも想定できる。
【０００７】
そのため、従来では、発信者が受信者の属性に合った短文メッセージを送らなければならない場合、各受信者別に短文メッセージを作成して送るしかなかった。
【発明の開示】
【発明が解決しようとする課題】
【０００８】
従って、本発明の目的は、発信者が一つの短文メッセージを作成しても、受信者の属性に合った修正された短文メッセージを各受信者別に伝送できることにある。
【課題を解決するための手段】
【０００９】
上記目的を達成するために、本発明の携帯端末機の短文メッセージの伝送方法は、住所録に各受信者別に修正前後の文字列をそれぞれ設定する第１段階と、受信者に送る修正前の文字列を含む一つの短文メッセージを入力する第２段階と、短文メッセージ中の修正前の文字列を、修正後の文字列に置き換え、受信者別に送る修正された短文メッセージを生成する第３段階と、修正された短文メッセージを受信者別に伝送する第４段階とを含んで構成される。
【００１０】
本発明の短文メッセージの伝送方法において、第１段階において、修正前後の文字列が各受信者の属性に応じて設定される。
【００１１】
第１段階は、住所録から受信者の属性を含む受信者アドレス情報を選択する段階と、選択された受信者アドレス情報に含まれている受信者の属性に基づき、修正前後の文字列を設定する段階と、設定された修正前後の文字列を、選択された受信者アドレス情報に追加する段階とを含んで構成される。ここで、受信者属性は、受信者の年齢、職業、グループ、親族関係の少なくとも一つを含む。
【００１２】
本発明の短文メッセージの伝送方法において、修正前の文字列は、短文メッセージ中に含まれた呼称と述語の語尾とを含む。修正後の文字列は受信者に対応する呼称と述語の語尾とを含む。
【００１３】
修正前後の文字列は、修正文字列データから選択され、設定される。又は、修正前後の文字列は発信者により直接入力される。
【００１４】
本発明の短文メッセージの伝送方法において、第３段階は、短文メッセージから修正前の文字列を検出する段階と、検出された修正前の文字列を、前記修正後の文字列に置き換え、各受信者に修正された短文メッセージを生成する段階とを含んで構成される。
【００１５】
本発明の短文メッセージの伝送方法において、第１段階は、住所録メニューを選択する段階と、住所録メニューから受信者属性が含まれている受信者アドレス情報を選択する段階と、選択された受信者アドレス情報に含まれている修正文字列の設定項目を選択し、修正文字列データを表示する段階と、修正文字列データから修正前後の文字列を選択する段階と、選択された修正前後の文字列を受信者アドレス情報に追加する段階とを含んで構成される。
【００１６】
本発明の携帯端末機は、受信者の属性に応じて設定された修正前後の文字列を有する住所録を格納する格納部と、受信者に送る修正前の文字列を含む短文メッセージを入力するキー入力部と、短文メッセージから、修正前の文字列を検出する修正文字列検出部と、修正前の文字列を、修正後の文字列に置き換え、短文メッセージを修正する文字列修正部と、文字列修正部から修正された文字メッセージ伝送を受けて、受信者の携帯端末機に伝送する無線通信部を含んで構成される。
【００１７】
本発明の携帯端末機は、キー入力部のキー入力により、修正前後の文字列を設定して、格納部の住所録に追加する修正文字列設定部をさらに含んで構成される。
【００１８】
本発明の携帯端末機において、住所録は受信者の名前、電話番号、属性及び修正後の文字列の少なくとも一つを含む受信者アドレス情報示す登録を少なくとも一つ以上含む。
【発明を実施するための最良の形態】
【００１９】
以下、添付図面を参照し、本発明の実施例をより詳細に説明する。
［携帯端末機］
【００２０】
図１は、本発明に係る携帯端末機１０を示すブロック図である。図２は、図１のメモリ部１３に格納された修正文字列情報３０を示す例示図である。図３は、図１のメモリ部１３に格納された住所録４０を示した例示図である。
【００２１】
図１乃至図３によれば、本発明に係る携帯端末機１０は、キー入力部１１、メモリ部１３、表示部１７、制御部１９、無線通信部２１及び音声処理部２３を含んで構成されている。
【００２２】
キー入力部１１は、携帯端末機１０の操作のための複数のキーを設け、ユーザのキー選択により選択情報を制御部１９に伝達する。
【００２３】
メモリ部１３は、プログラムメモリ部１２とテータメモリ部１４とを含む。プログラムメモリ部１２は、携帯端末機１０の動作制御の際、必要なプログラムデータを格納する。データメモリ部１４は、制御部１９による制御時、又は、ユーザーにより、使用中に生ずるデータを格納する。特に、プログラムメモリ部１２は、ユーザーの属性に応じて修正前後の文字列を設定する修正文字列設定プログラムと、短文メッセージから修正前の文字列を検出する修正文字列検出プログラムと、検出された修正前の文字列を修正後の文字列に修正する文字列修正プログラムを格納する。データメモリ部１４は、修正文字列データ３０と住所録４０とを格納する。
【００２４】
表示部１７は、携帯端末機１０において実行される各種機能メニューをはじめ、メモリ部１３に格納されているデータを画面にイメージとして表示する。特に、表示部１７は、キー入力部１１のキー選択によりイメージを表示し、修正前後の文字列設定と短文メッセージの伝送とに関するイメージを表示する。表示部１７は、一般に、LCD(Liquid Crystal Display)が採用される。
【００２５】
制御部１９は、携帯端末機１０の各部分の動作を全般的に制御する。特に、制御部１９は、修正前後の文字列の設定と、当該修正後の文字列を有する修正された短文メッセージの生成及び伝送を制御する。
【００２６】
無線通信部２１は、携帯端末機１０の無線通信のための当該データの送受信機能を行う。すなわち、無線通信部２１は、制御部１９から出力される短文メッセージを変調したり周波数を変えたりして、アンテナ（ＡＮＴ）を介して無線信号を送信する。なお、無線通信部２１は、アンテナ（ＡＮＴ）を介して短文メッセージの信号を受けて、当該短文メッセージの信号を低い周波数に変換し復調した上、制御部１９へ伝送する。
【００２７】
また、音声処理部２３は、制御部１９により制御され、マイク（ＭＩＣ）を通して入力された音声信号をデジタル化し、かつ無線通信部２１から受け取った音声データを復調してスピーカー（ＳＰＫ）を介して出力する。
【００２８】
特に、データメモリ部１４に格納される修正文字列データ３０は、図２に図示のように、修正前後の文字列を含む。修正前後の文字列は、それぞれの受信者に対応する呼称と述語の語尾とを含む。
【００２９】
修正前の文字列は、発信者のキー入力により入力された、短文メッセージ中にある文字列であり、呼称と述語の語尾とを含む。修正前の文字列としては、修正文字列検出プログラム上のエラーを減らすために、特殊文字を含んでいる文字列を使用することが好ましい。例えば、「ＸＸさん、＊＊、＃＃」の特殊文字が使われる。
【００３０】
修正後の文字列は、修正前の文字列と置き換えの文字列とで、修正された短文メッセージ中に含まれる。各修正後の文字列は、各受信者の属性に合った呼称と述語の語尾とを含む。
【００３１】
例えば、受信者の呼称に対応する修正前の文字列が「ＸＸさん」として設定されている場合、修正後の文字列は、「ＸＸさん、ＹＹ様、ＺＺちゃん(くん)」として設定されることとなる。この場合「ＸＸ、ＹＹ、ＺＺ」には、受信者の名前が入力されるようになる。述語の語尾に関する修正前の文字列は、「普通体、敬語体、通信体」で表現され、呼称に関する修正後の文字列は、受信者の呼称に関する修正後文字列のタイプに従って決定される。すなわち、受信者の呼称の修正後の文字列が「ＸＸさん」であれば、語尾の修正後の文字列は「普通体」で表現される。また、呼称の修正後の文字列が「ＹＹ様」であれば、語尾の修正後の文字列は敬語体で表現される。呼称の修正後の文字列が、「ＺＺちゃん（クン）」であれば、語尾の修正後の文字列は「通信体」で表現される。その他の述語の語尾の修正後の文字列としては、略語を含む多様な言葉があり得る。
【００３２】
データメモリ部１４に格納される住所録４０は、図３に図示のように、受信者の属性を含む受信者アドレス情報を少なくとも一つ以上含む。受信者アドレス情報は、受信者の名前、電話番号、属性、修正後の文字列等を含み、例えば、受信者の名前の「キム・ＡＡ」、電話番号「０１０−１１１１−１１１１」、年齢「３０」、呼称に対する修正後の文字列「さん」、述語の語尾に対する修正後の文字列「普通体」の言葉で表現される。図３は、受信者の属性を表すデータとして、年齢を示しており、また前記住所録４０には、修正前の文字列も含まれる。
【００３３】
特に、制御部１９は、修正文字列設定部１６と修正文字列検出部１８と文字列修正部２０とを含む。修正文字列設定部１６は、受信者の属性に応じて修正前後の文字列を設定する。修正文字列検出部１８は、キー入力により入力された短文メッセージから修正前の文字列を検出する。また、文字列修正部２０は、修正文字列検出部１８により検出された修正前の文字列を、修正後の文字列に置き換え、受信者の属性に応じて修正された短文メッセージを生成して、修正された短文メッセージを無線通信部２１へ伝送する。
【００３４】
上記のように、本発明の携帯端末機１０は、発信者が一つの短文メッセージ、すなわち呼称とそれによる述語の語尾とを受信者属性に合った呼称を述語の語尾を修正することで、各受信者別に修正された短文メッセージの伝送を可能にする。
【００３５】
［短文メッセージ伝送方法］
【００３６】
図４は、本発明の携帯端末機の短文メッセージの伝送方法に係るフローチャートである。図４を参照すると、本発明の短文メッセージの伝送方法は、修正前後の文字列設定段階（Ｓ５１）、短文メッセージの入力段階（Ｓ５３）、修正前の文字列検出段階（Ｓ５５）、修正された短文メッセージの生成段階（Ｓ５７）、及び修正された短文メッセージの伝送段階（Ｓ５９）とを含む。
【００３７】
より詳細には、修正前後の文字列設定段階（Ｓ５１）は、住所録に各受信者に関する修正前後の文字列を設定する段階である。短文メッセージの入力段階（Ｓ５３）は、受信者のための修正前の文字列を含む一つの短文メッセージを入力する段階である。修正前の文字列検出段階は（Ｓ５５）は、短文メッセージから修正前の文字列を検出する段階で、修正された短文メッセージの生成段階（Ｓ５７）は、短文メッセージの修正前の文字列を、修正後の文字列に置き換え、各受信者別に送る修正された短文メッセージを生成する段階である。なお、修正された短文メッセージの伝送段階（Ｓ５９）は、受信者に応じて短文メッセージを伝送する段階である。
【００３８】
また、修正前後の文字列設定段階（Ｓ５１）は、図１乃至図５に示されているが、図５は、図４の修正前後の文字列を設定する段階（Ｓ５１）を示す。
【００３９】
また、修正前後の文字列設定段階（Ｓ５１）は、キー入力部（１１）を介して発信者キー入力により表示部１７の画面上に表示されているメニューから、住所録メニューを選択することで開始する（Ｓ５１１）。制御部１９は、表示部１７に住所録を表示するようにする（Ｓ５１３）。
【００４０】
次に、受信者属性の含まれている受信者アドレス情報が選択される（Ｓ５１５）。すなわち、住所録から修正前後の文字列を設定する受信者アドレス情報が選択されると、制御部１９は表示部１７に受信者アドレス情報を表示する（Ｓ５１７）。
【００４１】
制御部（１９）が、受信者の住所録に設定されている修正前の文字列（例えば、呼称、述語の語尾）の項目が選択されているかを決定する（Ｓ５１９）。修正前の文字列の項目が選択されると、制御部（１９）は、修正後の文字列データ（３０）を表示するように表示部（１７）を制御する（Ｓ５２１）。修正前の文字列の項目が選択されないと、上記他の項目による機能を行う（Ｓ５２３）。
【００４２】
次に、受信者属性に従った修正前後の文字列を選択する。すなわち、発信者のキー入力により受信者アドレス情報に含まれている受信者属性に基づき、修正文字列データから修正後の文字列を選択する（Ｓ５２５）。修正前の文字列として短文メッセージに含まれている呼称と述語の語尾とを選択する。修正後の文字列として、受信者用に使用される呼称と述語の語尾とを選択する。
【００４３】
次に、修正文字列設定部１６にて選択された修正後の文字列を、受信者アドレス情報に追加する（Ｓ５２７）。
【００４４】
最後に、選択すべき受信者アドレス情報がさらに存在するかを確認するメッセージ窓が表示される（Ｓ５２９）。仮に選択すべき住所録がさらに存在する場合、キー入力により受信者アドレス情報を選択する段階（Ｓ５１５）に戻る。一方、選択すべき受信者アドレス情報が存在しない場合、発信者はキー入力により修正前後の文字列設定を終了する。
【００４５】
一方、本実施例では、修正文字列データに基づき、修正後の文字列を設定する段階を開示したが、これに限定されず、発信者がキー入力により直接修正後の文字列を入力して設定することができる。
【００４６】
続いて、発信者により生成された短文メッセージを修正し、前記修正された短文メッセージを伝送する段階については、図１、６及び図７を参照して述べる。ここで、図６は、図４の短文メッセージの入力する段階及び修正された短文メッセージを伝送する段階を示す詳細フローチャートである。図７は、本発明の携帯端末機の短文メッセージの伝送方法に係る例示図である。
【００４７】
まず、発信者は、発信者の携帯端末機１０（以下、「発信者端末機」という）のキー入力により、短文メッセージを、受信者の携帯端末機１１０（以下、「受信者端末機」という）へ伝送するための短文メッセージの伝送メニューを選択する（Ｓ６１）。制御部１９は、表示部１７の画面に短文メッセージの入力窓を表示するようにする（Ｓ６３）。
【００４８】
次に、キー入力により、前記短文メッセージの入力窓中に短文メッセージが入力される（Ｓ６５）。この時、短文メッセージは修正前の文字列を含むことができる。
【００４９】
次に、短文メッセージを受ける受信者の電話番号を入力する（Ｓ６７）。この時、受信者の電話番号は、発信者が直接入力することもでき、住所録から選択して入力することもできる。
【００５０】
次に、短文メッセージの伝送キーが入力される（Ｓ６９）。伝送キーが入力された後、従来の場合、該短文メッセージは、無線通信部を介して伝送されるが、本発明は、該短文メッセージが、無線通信部２１を介して伝送される前に、まず修正される。
【００５１】
さらに、伝送キーが入力されると、制御部１９は、受信者の電話番号が複数であるかを判定することにより受信者が複数であるかを判定する（Ｓ７１）。
【００５２】
前記判定の結果、受信者が複数である場合、修正文字列検出部１８は、短文メッセージ中に修正すべき修正前の文字列があるかを検出する（Ｓ７３）。
【００５３】
例えば、「ＫＩＭ・ＡＡ、ＬＥＥ・ＢＢ、ＰＡＲＫ・ＣＣ」の受信者がいる場合、図７のように、短文メッセージの内容が「ＸＸさん、今日も頑張ってね〜！！」であると、修正文字列検出部１８は、修正前の文字列として、「ＸＸさん」と「〜てね」を検出する。
【００５４】
次に、修正された短文メッセージが生成される（Ｓ７７）。すなわち、文字列修正部２０は、検出された修正前の文字列を、修正後の文字列に置き換え、各受信者用の修正された短文メッセージを生成する。
【００５５】
図７によれば、例えば、受信者が「ＫＩＭ・ＡＡ」の場合、修正前の文字列「ＸＸさん」は、修正後の文字列「ＡＡ様」に置き換えられ、修正前の文字列「〜てね」は、修正後の文字列「〜て下さい」に修正される。従って、「ＫＩＭ・ＡＡ」に送る修正された短文メッセージは、「ＡＡ様、今日も頑張ってください〜！！」となる。他の例として、受信者が「ＬＥＥ・ＢＢ」の場合、修正された短文メッセージは、「ＢＢさん、今日も頑張ってね！！」と表現できる。また、さらに他の例として、「パク・ＣＣ」に送る修正された短文メッセージは「ＣＣちゃん、今日も頑張って〜！！」となる。
【００５６】
このように、各々の受信者用に修正された短文メッセージは、制御部により移動通信網８０を介して受信者の端末機１１０へ伝送される（Ｓ７９）。
【００５７】
しかし、Ｓ７１の段階において、前記判定の結果、受信者が一人だったり、短文メッセージ中に修正すべき文字列がない場合、制御部１９は、入力された短文メッセージをそのまま移動通信網８０を介してすべての受信者に伝送する（Ｓ７５）。
【００５８】
一方、本明細書及び図面に開示の本発明の実施例は、本発明の理解をより容易にするために、特定の例を挙げたことに過ぎず、本発明の範囲を限定するものではない。その他、当業者ならば、本発明の趣旨を免脱しない範囲で、前記実施例に種々の変更を付加して実施可能であることは明らかである。
【００５９】
［発明の効果］
本発明によると、一つの短文メッセージの作成により、受信者の属性に合った修正された短文メッセージを各受信者別に伝送することができるとともに、短文メッセージの作成回数を最小化させ、かつ受信者に適宜な短文メッセージを送ることができる。
【図面の簡単な説明】
【００６０】
【図１】図１は、本発明に係る携帯端末機を示したブロック図である。
【図２】図２は、図１のメモリ部に格納された修正文字列データを示した例示図である。
【図３】図３は、図１のメモリ部に格納された住所録を示した例示図である。
【図４】図４は、本発明に係る携帯端末機の短文メッセージの伝送方法を示したフローチャートである。
【図５】図５は、図４の修正前後の文字列を設定する段階を具体的に示したフローチャートである。
【図６】図６は、図４の短文メッセージの入力段階から、修正された短文メッセージの伝送段階までを具体的に示したフローチャートである。
【図７】図７は、本発明に係る携帯端末機の短文メッセージの伝送方法に係る例示図である。
【符号の説明】
【００６１】
１０  携帯端末機
１１  キー入力部
１２  プログラムメモリ部
１３  メモリ部
１４  データメモリ部
１６  修正文字列設定部
１７  表示部
１８  修正文字列検出部
１９  制御部
２０  文字列修正部
２１  無線通信部
２３  音声処理部
【図１】
2008048389.tif 000003
【図２】
2008048389.tif 000004
【図３】
2008048389.tif 000005
【図４】
2008048389.tif 000006
【図５】
2008048389.tif 000007
【図６】
2008048389.tif 000008
【図７】
2008048389.tif 000009